(57)【要約】【課題】撹拌手段を少ない部品点数で構成し、安価で小型かつメンテナンス性に優れた生ごみ処理機を提供することを目的とする。【解決手段】生ごみを収納する生ごみ収納容器１５と、前記生ごみ収納容器１５内の生ごみを撹拌する撹拌手段４４とを有し、駆動手段５４より発せられた駆動力を減速部６３によって減速した後、前記減速された駆動力により前記撹拌手段４４は駆動されるとともに、前記減速部６３は、前記駆動手段５４から前記撹拌手段４４に駆動力を伝達する部品に一体的に形成されてなるもので、少ない部品点数で構成し、安価で小型かつメンテナンス性に優れた生ごみ処理機を提供できる。【選択図】  図２
2004174419.tif 000002
【特許請求の範囲】
【請求項１】
生ごみを収納する生ごみ収納容器と、前記生ごみ収納容器内の生ごみを撹拌する撹拌手段とを有し、駆動手段より発せられた駆動力を減速部によって減速した後、前記減速された駆動力により前記撹拌手段は駆動されるとともに、前記減速部は、前記駆動手段から前記撹拌手段に駆動力を伝達する部品に一体的に形成されてなる生ごみ処理機。
【請求項２】
撹拌手段に連結され、生ごみ収納容器の外側に取り付けられた回転プレートと、前記回転プレートに当接し駆動手段に連結されてなるプーリーとを備え、前記回転プレートと前記プーリーとは、減速比を有し嵌合されてなるとともに、互いの嵌合部分において分離自在とした請求項１記載の生ごみ処理機。
【請求項３】
回転プレートとプーリーとは、互いに噛み合うギヤの歯を有してなる請求項２記載の生ごみ処理機。
【請求項４】
回転プレートと生ごみ収納容器とは、一体的に機器本体に着脱自在に嵌合されてなる請求項２または３記載の生ごみ処理機。
【請求項５】
回転プレートとプーリーとの間には、開口を有するケースを配するとともに、前記開口を介して、前記回転プレートと前記プーリーとは嵌合してなる請求項２〜４のいずれか１項に記載の生ごみ処理機。
【請求項６】
回転プレートの外周に円筒上の壁を設け、その内壁にギヤの歯を形成した請求項２〜５のいずれか１項に記載の生ごみ処理機。
【請求項７】
回転プレートにリング状の突起を有し、生ごみ収納容器底面と摺動させる請求項２〜６のいずれか１項に記載の生ごみ処理機。
【請求項８】
回転プレートの材質を生ごみ収納容器の材質と異なる材質で形成した請求項２〜７のいずれか１項に記載の生ごみ処理機。
【発明の詳細な説明】
【０００１】
【発明の属する技術分野】
本発明は台所で発生する生ごみを処理する生ごみ処理機に関するものである。
【０００２】
【従来の技術】
従来、乾燥方式の生ごみ処理機は、図３に示すように、着脱可能な生ごみ収納容器１内を加熱する加熱手段６と、送風ファン７と、撹拌手段とを配備している。撹拌手段４は、生ごみ収納容器１底部の回転軸５に取り付けられた回転刃４と、生ごみ収納容器１の内壁に固定された固定刃３で形成されている。回転軸５の下端には駆動軸１３が設けてあり、ギヤで組み合わされた減速装置１２に取り付けられており、減速装置１２は駆動モータ１１に接続されている。前記減速装置１２には駆動モータ１１の回転が伝わり減速され、回転軸５と噛み合う駆動軸１３に伝わって、前記回転軸５に接続された回転刃４が低速で回転する（例えば、特許文献１参照。）。
【０００３】
【特許文献１】
特開２００１−１９１０５３号公報（第１図）
【０００４】
【発明が解決しようとする課題】
しかしながら上記構成においては、回転刃４を高速で回すと生ごみより水分が多量に出てくるため乾燥が追いつかず、生ごみを練り上げる状態となり、乾燥ができなくなる現象になる。また、生ごみ粉砕のため高トルクの回転力が必要であり、そのためには駆動モータ１１の回転を大きく減速して使用する必要があった。減速装置１２はギヤの組み合わせだけでなくプーリーとベルトを利用し、減速する手段がとられている事例もあるが、いずれも連結部材を介して生ごみ収納容器１の回転刃４に回転を伝える構造を採用しており、構造が複雑なものになっていた。
【０００５】
本発明は、上記課題を解決するもので、撹拌手段を少ない部品点数で構成し、安価で小型かつメンテナンス性に優れた生ごみ処理機を提供することを目的とする。
【０００６】
【課題を解決するための手段】
上記の目的を達成する本発明は、生ごみを収納する生ごみ収納容器と、前記生ごみ収納容器内の生ごみを撹拌する撹拌手段とを有し、駆動手段より発せられた駆動力を減速部によって減速した後、前記減速された駆動力により前記撹拌手段は駆動されるとともに、前記減速部は、前記駆動手段から前記撹拌手段に駆動力を伝達する部品に一体的に形成されてなるもので、少ない部品点数で構成し、安価で小型かつメンテナンス性に優れた生ごみ処理機を提供できる。
【０００７】
【発明の実施の形態】
本発明の請求項１記載の発明は、生ごみを収納する生ごみ収納容器と、前記生ごみ収納容器内の生ごみを撹拌する撹拌手段とを有し、駆動手段より発せられた駆動力を減速部によって減速した後、前記減速された駆動力により前記撹拌手段は駆動されるとともに、前記減速部は、前記駆動手段から前記撹拌手段に駆動力を伝達する部品に一体的に形成されてなるもので、少ない部品点数で構成し、安価で小型かつメンテナンス性に優れた生ごみ処理機を提供できる。
【０００８】
本発明の請求項２記載の発明は、撹拌手段に連結され、生ごみ収納容器の外側に取り付けられた回転プレートと、前記回転プレートに当接し駆動手段に連結されてなるプーリーとを備え、前記回転プレートと前記プーリーとは、減速比を有し嵌合されてなるとともに、互いの嵌合部分において分離自在としたもので、少ない部品点数で構成し、かつ前記回転プレートと前記プーリーとは分離自在のため、安価で小型かつメンテナンス性に優れた生ごみ処理機を提供できる。
【０００９】
本発明の請求項３記載の発明は、回転プレートとプーリーとは、互いに噛み合うギヤの歯を有してなるもので、回転トルクを効率よく伝達することができるので、ごみの撹拌力が強く、性能の良い生ごみ処理機を提供することができる。
【００１０】
本発明の請求項４記載の発明は、回転プレートと生ごみ収納容器とは、一体的に機器本体に着脱自在に嵌合されてなるもので、安価で小型かつメンテナンス性に優れた生ごみ処理機を提供できる。また、回転プレートと生ごみ収納容器とは、一体的にされていることで、生ごみ収納容器の振れを防止し、かつ前記回転プレートと当接するプーリーとに、互いに噛み合うギヤの歯の掛りを安定させるもので、振れがなく静音で回転トルクの強い生ごみ処理機を提供することができる。
【００１１】
本発明の請求項５記載の発明は、回転プレートとプーリーとの間には、開口を有するケースを配するとともに、前記開口を介して、前記回転プレートと前記プーリーとは嵌合してなるもので、プーリーへのごみなどの付着を防止し、回転トルクの伝達を確実なものとするものである。
【００１２】
本発明の請求項６記載の発明は、回転プレートの外周に円筒上の壁を設け、その内壁にギヤの歯を形成したもので、生ごみ収納容器を取り出したとき、ギヤの歯が、床面などに当たっても傷をつけない保護作用を発揮し、使い勝手を向上させることができるものである。
【００１３】
本発明の請求項７記載の発明は、回転プレートにリング状の突起を有し、生ごみ収納容器底面と摺動させるもので、回転プレートを生ごみ収納容器底面と摺動させることにより、軸の振れ、プーリーのたわみを抑えるもので簡単な構成で回転の安定を実現するものである。
【００１４】
本発明の請求項８記載の発明は、回転プレートの材質を生ごみ収納容器の材質と異なる材質で形成したもので、摺動性、耐摩耗性を高めるなどの効果を発揮するとともに、安価で形成でき、小型で安価な生ごみ処理機を提供することができるものである。
【００１５】
【実施例】
以下、本発明の一実施例について、図１、図２をもとに説明する。図１において、１５は生ごみを収納する生ごみ収納容器で、１６は生ごみ収納容器１５を収納する乾燥庫である。１７は蓋で、蓋１７と生ごみ収納容器１５との間のタイトは、蓋側に取り付けたパッキン２０を生ごみ収納容器１５に圧接することにより維持する。蓋１７の下部には、乾燥ヒータ１８と送風ファン１９からなる加熱手段を配備してあり、複数個の開口６０を設けた保護カバー６１で覆ってある。２１は蓋１７の内側に設けた排出口、２２は排出口２１につながる上パイプで、連結パッキン２４を介して脱臭装置２５につながる下パイプ２３に圧接される。３５は乾燥モータである。脱臭装置２５の排気側には、吸引ファン２７と吸引モータ２８からなる吸引手段を有しており、吸引した脱臭装置２５の排気は、本体排気口２９より外部へ排出される。
【００１６】
脱臭装置２５は、臭いを化学分解する部材をコーティングした触媒３０と、化学反応を促進するために触媒３０を加熱する触媒ヒータ３１を配備し、金属ケース３２内に収納してあり、加熱された生ごみから発生した臭気を含む水蒸気は、脱臭装置２５にて臭いを除去された後、外部に排出される。
【００１７】
吸引モータ２８には、冷却ファン３３と吸引ファン２７が、吸引ファン２７の手前には、ファンガイド３６が設けてあり、脱臭装置２５の排気は、ホース３７を通り、ファンガイド３６の接続部３８に至る。ファンガイド３６と吸引ファン２７の間には、２〜５ｍｍの隙間が設けてあり、ファンガイド３６と吸引ファン間に異物が入り込んでも回転を妨げないようになっている。但しファンガイド３６の外径は、吸引ファン２７の外径より大きい寸法にしてあり、吸引ファン２７を覆っているため、吸引ファン２７は、外気はほとんど吸引できず、ファンガイド３６の接続部３８をとおってくる脱臭装置からの排気を吸引し、排出する。
【００１８】
本体排気口２９は吸引ファン２７とファンガイド３６の下方に開口しており、冷却ファン３３の送風により吸引ファン２７の排気を希釈して本体外部に排出する。４０は制御回路である。
【００１９】
図２に示すように、生ごみ収納容器１５の内壁には固定刃４３が設けられている。４４は固定刃４３と交差しながら回転する撹拌手段である回転刃で、回転軸４６にナット４１で連結されている。回転軸４６の下端には、回転プレート４７が取り付けてあり、その中央部分を、回転軸４６に溶接した金属性座金４８にネジ止めすることにより固定されている。回転軸４６の抜け止めは、回転軸４６に形成した溝にＥ型止め輪４９を挿入することによってなされる。回転プレート４７の中央は下側に突出しており、乾燥庫１６内に突出するギヤケース５０に取り付けた回転軸受け５１に着脱自在に嵌合する。回転プレート４７には、外形部分の上側はリング状突起５８が形成してあり、このリング状突起５８が生ごみ収納容器１５の底面と摺動することにより、回転プレート４７の面振れが抑えられる。また回転プレート４７下側にも第２のリング状突起５９が形成してあり、このリング５９がギヤケース５０と摺動する。
【００２０】
ギヤケース５０には側面に開口５２が形成してあり、駆動モータ５４に取り付けたプーリー５３の歯の部分が開口５２より突き出ている。プーリー５３の歯は、回転プレート４７の外周に設けた立壁５５の内壁に形成したギヤの歯と噛み合い、減速部６３を形成して、駆動手段である駆動モータ５４の回転を減速して回転軸４６に伝える。回転プレート４７のギヤは内側に形成してあるため生ごみ収納容器１５を運搬する際にもギヤの歯に物が当たりにくくなっている。
【００２１】
駆動モータ５４は乾燥庫１６を挟んでギヤケース５０にネジ止めにて固定されている。従ってギヤケース５０の回転軸受け５１に嵌合する回転プレート４７と駆動モータ５４に取り付けたプーリー５３との軸間距離がギヤケース５０で規制されるため回転プレート４７とプーリー５３との安定した噛み合いが維持される。
【００２２】
５６は、生ごみ収納容器１５を取り出したときに回転プーリー４７を保護するために形成したリング状のリブである。
【００２３】
上記構成において動作、作用を説明する。
【００２４】
乾燥ヒータ１８で加熱された空気が送風ファン１９によって開口４８を経て生ごみ収納容器１５内に送り出され、生ごみを加熱する。加熱された生ごみより発生した蒸気は、吸引ファン２７によって吸引されることにより、蓋１７の内側に設けた排出口２１から排出され、排出口２１につながる上パイプ４２を通り、上パイプ４２と連結パッキン２４を介して脱臭装置２５につながる下パイプ２３を通過し、脱臭装置２５に至る。そして脱臭装置２５内にて化学反応により臭気を除去された後、冷却ファン３３によって室温程度の温度まで冷却されて本体排気口２９より外部に排出される。同時に生ごみは、固定刃４３と交差しながら回転する回転刃４４により、撹拌・粉砕されながら乾燥され、乾燥終了後は、減量・細分化される。
【００２５】
ここで、生ごみ収納容器１５は取り外すことができるため、ある程度処理物がたまったら、生ごみ収納容器１５ごと取り外し、内部の処理物を取り出してゴミ箱に捨てるなり、肥料として使用することができる。
【００２６】
生ごみ収納容器１５を装着する場合は、乾燥庫１６に挿入すればよく、回転プーリー４７とプーリー５３とが噛み合い、再び駆動モータ５４の回転が減速されて回転刃４４に伝わる。プーリー５３はギヤケース５０に覆われ、噛み合い部分はギヤケース５０の側面開口５２部分だけであり、ごみの付着もほとんどない。
【００２７】
また、回転プレート４７にはリング状の突起５８が設けてあり、これが生ごみ収納容器１５の底面と摺動することにより、回転プレート４７の回転時の振れが抑えられ、プーリー５３と回転プーリー４７との噛み合いは常に安定する。さらに回転プレート４７はポリアセタール、生ごみ収納容器１５はＰＰＳで成形し、異種の材料で成形してあるため摺動しても焼きついて固着することはない。
【００２８】
このように減速部を構成する回転プレート４７とプーリー５３で生ごみ収納容器１５への回転伝達のための接続を着脱自在に実現するため、部品点数が少なく、簡単な構造の安価でコンパクトな生ごみ処理機を提供することができる。
【００２９】
なお駆動モータの軸は、本実施例では垂直に配備したが、水平に配備して例えばウォームギヤを利用してもよく、要は減速部を構成する部品と一体に接続部品が形成されていれば良い。
【００３０】
【発明の効果】
本発明によれば、撹拌手段を少ない部品点数で構成し、安価で小型かつメンテナンス性に優れた生ごみ処理機を提供できる。
【図面の簡単な説明】
【図１】本発明の一実施例における生ごみ処理機の断面図
【図２】同撹拌手段付近の部分断面図
【図３】従来の生ごみ処理機の断面図
【符号の説明】
１５  生ごみ収納容器
４３  固定刃
４４  回転刃（撹拌手段）
４６  回転軸
４７  回転プレート
５２  開口
５３  プーリー
５４  駆動モータ
６３  減速部
【図１】
2004174419.tif 000003
【図２】
2004174419.tif 000004
【図３】
2004174419.tif 000005